(57)【要約】      （修正有）【課題】引き抜きレバーの意図しない回転を未然に防止するプラガブルモジュールを提供する。【解決手段】ケージに対して挿抜可能なプラガブルモジュール１０は、モジュール本体２０と、スライダ長孔２８を有する引き抜きレバー２４と、モジュール本体２０とケージとをロックするロック機構と、スライダ長孔２８に挿入されたスライダ軸３４を有するロック解除キー３２とを有する。スライダ軸３４は、弾性を有している。ロック機構がロック状態のとき、スライダ軸３４はスライダ長孔２８中におけるロック位置に位置している。ロック機構のロック状態が解除される方向に引き抜きレバー２４が回転したとき、スライダ軸３４がロック位置から移動するとともにスライダ長孔２８の内壁により押圧されて弾性変形し、弾性変形の復元力によりスライダ軸３４がロック位置に押し戻される。【選択図】図４
2016170249.tif 000002
【特許請求の範囲】
【請求項１】
ケージに対して挿抜可能なプラガブルモジュールであって、
前記ケージに収容されるモジュール本体と、
前記モジュール本体の前端部に設けられ、回転軸を中心として回転可能な引き抜きレバーであって、前記回転軸の周辺にスライダ長孔が形成された引き抜きレバーと、
前記モジュール本体と前記ケージとをロックするロック機構と、
前記引き抜きレバーの前記スライダ長孔に挿入されたスライダ軸を有し、前記引き抜きレバーの回転にともなって前記スライダ軸が前記スライダ長孔内で移動することにより、前記モジュール本体に対して後方にスライドして前記ロック機構のロック状態を解除するロック解除キーと、
を備え、
前記スライダ軸は、弾性を有しており、
前記ロック機構がロック状態のとき、前記スライダ軸は前記スライダ長孔中における所定のロック位置に位置しており、前記ロック機構がロック解除状態のとき、前記スライダ軸は前記スライダ長孔中における所定のロック解除位置に位置しており、
前記ロック機構のロック状態が解除される方向に前記引き抜きレバーが回転したとき、前記スライダ軸が前記ロック位置から移動するとともに前記スライダ長孔の内壁により押圧されて弾性変形し、該弾性変形の復元力により前記スライダ軸が前記ロック位置に押し戻されることを特徴とするプラガブルモジュール。
【請求項２】
前記スライダ長孔は、前記ロック位置から前記ロック解除位置にかけて次第に幅狭になるよう形成されていることを特徴とする請求項１に記載のプラガブルモジュール。
【請求項３】
前記スライダ軸は、軸端部にスリットを有することを特徴とする請求項１または２に記載のプラガブルモジュール。
【請求項４】
前記スライダ軸の軸方向に垂直な断面は、楕円形状を有することを特徴とする請求項１から３のいずれかに記載のプラガブルモジュール。
【発明の詳細な説明】
【技術分野】
【０００１】
本発明は、基板上に設置されたケージに挿抜可能なプラガブルモジュールに関する。
【背景技術】
【０００２】
近年、パソコンやスマートフォンの急速な普及による動画配信などのインターネットの拡大により、通信トラフィックが急激に増加しており、大容量の光ネットワークの実現と普及が望まれている。光ネットワークシステムの光通信装置は高速伝送を実現しており、これらの装置で使用される光モジュールは、ＳＦＰ(Small Form-Factor Pluggable)やＸＦＰ（10 Gigabit Small Form Factor Pluggable）とよばれる小型のプラガブルモジュールであり、それらは、ＭＳＡ（Multi Source Agreement）と呼ばれる光モジュール業界の標準規格により標準化され、各メーカーで開発・製造されている。
【０００３】
プラガブルモジュールは、基板上に設置されたケージに挿抜可能に構成される。プラガブルモジュールは、動作中にケージから外れるのを防止するために、プラガブルモジュールをケージに対して固定するロック機構を有する。
【０００４】
図１は、従来のプラガブルモジュール１００におけるロック機構を説明するための図である。図１は、プラガブルモジュール１００の前端部を示す。プラガブルモジュール１００のロック機構は、回転軸１０４を中心としてモジュール本体１０２に対して回転可能に設けられた引き抜きレバー１０６と、引き抜きレバー１０６をモジュール本体１０２の前方向Ａに回転させることでモジュール本体１０２の後方向Ｂにスライドするロック解除キー１０８とを備える。ロック解除キー１０８の後端部には、ケージ（図示せず）に形成された係止孔に係合する突起部（図示せず）が形成されている。引き抜きレバー１０６を前方向Ａに回転させてロック解除キー１０８を後方向Ｂにスライドさせると、ロック解除キー１０８の突起部がケージの係止孔から外れ、ロック機構のロックが解除された状態となる。このロック解除状態で引き抜きレバー１０６をモジュール本体１０２の前方に引くことで、プラガブルモジュール１００をケージから取り外すことができる。
【０００５】
図１に示すようなプラガブルモジュール１００においては、引き抜きレバー１０６の回転によりロック機構のロックが解除状態になることから、引き抜きレバー１０６の意図しない回転を防止することが望ましい。引き抜きレバー１０６が意図せず自然に回転してロック機構のロックが解除状態になると、プラガブルモジュール１００がケージから抜け落ちたり、光ファイバケーブルのコネクタを挿入できなくなるといった不具合が発生するおそれがある。
【０００６】
図２は、従来の引き抜きレバー回転防止構造の一例を示す。図２に示すように、引き抜きレバー１０６には凸部１１０が形成されており、モジュール本体１０２には凸部１１０と係合する凹部１１２が形成されている。ロック機構がロックした状態では、引き抜きレバー１０６の凸部１１０がモジュール本体１０２の凹部１１２に係合しており、引き抜きレバー１０６が自然に回転するのを防止するようになっている。
【先行技術文献】
【特許文献】
【０００７】
【特許文献１】特開２０１２−２４７４９２号公報
【特許文献２】特開２００４−３５４８６６号公報
【発明の概要】
【発明が解決しようとする課題】
【０００８】
しかしながら、図２に示すような引き抜きレバー回転防止構造では、例えばモジュール本体１０２の凹部１１２が形成された部分がプラスチックなどの樹脂で形成され、一方引き抜きレバー１０６が金属で形成されている場合には、複数回のプラガブルモジュール１００の着脱により樹脂が削れ、凸部１１０の凹部１１２の係合が簡単に外れてしまう可能性がある。
【０００９】
本発明はこうした状況に鑑みてなされたものであり、その目的は、引き抜きレバーの意図しない回転を未然に防止することのできるプラガブルモジュールを提供することにある。
【課題を解決するための手段】
【００１０】
上記課題を解決するために、本発明のある態様のプラガブルモジュールは、ケージに対して挿抜可能なプラガブルモジュールである。このプラガブルモジュールは、ケージに収容されるモジュール本体と、モジュール本体の前端部に設けられ、回転軸を中心として回転可能な引き抜きレバーであって、回転軸の周辺にスライダ長孔が形成された引き抜きレバーと、モジュール本体とケージとをロックするロック機構と、引き抜きレバーのスライダ長孔に挿入されたスライダ軸を有し、引き抜きレバーの回転にともなってスライダ軸がスライダ長孔内で移動することにより、モジュール本体に対して後方にスライドしてロック機構のロック状態を解除するロック解除キーとを備える。スライダ軸は、弾性を有している。ロック機構がロック状態のとき、スライダ軸はスライダ長孔中における所定のロック位置に位置しており、ロック機構がロック解除状態のとき、スライダ軸はスライダ長孔中における所定のロック解除位置に位置している。ロック機構のロック状態が解除される方向に引き抜きレバーが回転したとき、スライダ軸がロック位置から移動するとともにスライダ長孔の内壁により押圧されて弾性変形し、該弾性変形の復元力によりスライダ軸がロック位置に押し戻される。
【００１１】
なお、以上の構成要素の任意の組合せ、本発明の表現を装置、方法、システムなどの間で変換したものもまた、本発明の態様として有効である。
【発明の効果】
【００１２】
本発明によれば、引き抜きレバーの意図しない回転を未然に防止することのできるプラガブルモジュールを提供できる。
【図面の簡単な説明】
【００１３】
【図１】従来のプラガブルモジュールにおけるロック機構を説明するための図である。
【図２】従来の引き抜きレバー回転防止構造の一例を示す図である。
【図３】本発明の実施形態に係るプラガブルモジュールが基板に実装されたケージ内に挿入された状態を示す図である。
【図４】プラガブルモジュールの前端部の拡大図である。
【図５】スライダ軸およびスライダ長孔周辺の拡大側面図である。
【図６】スライダ軸の概略斜視図である。
【図７】図７（ａ）〜図７（ｄ）は、本発明の実施形態に係るプラガブルモジュールの動作を説明するための図である。
【発明を実施するための形態】
【００１４】
図３は、本発明の実施形態に係るプラガブルモジュール１０が基板１２に実装されたケージ１４内に挿入された状態を示す図である。図４は、プラガブルモジュール１０の前端部の拡大図である。
【００１５】
本実施形態に係るプラガブルモジュール１０は、ＳＦＰモジュールであり、基板１２は通信装置のインタフェース基板である。プラガブルモジュール１０は、ケージ１４に対して挿抜可能である。本明細書では、プラガブルモジュール１０をケージ１４から抜き出す方向を前方向と呼び、プラガブルモジュール１０をケージ１４に挿入する方向を後方向と呼ぶ。
【００１６】
プラガブルモジュール１０は、一部がケージ１４内に収容されるモジュール本体２０と、モジュール本体２０の前端部に設けられたレセプタクル部２１とを備える。レセプタクル部２１には、光ファイバのコネクタ３０を接続するためのコネクタ接続口２２が設けられている。
【００１７】
モジュール本体２０の内部には、光信号を送信するＴＯＳＡ（Transmitter Optical Sub-Assembly）、受信した光信号を電気信号に変換するＲＯＳＡ（Receiver Optical Sub-Assembly）、プラガブルモジュール１０の各部を制御するためのＣＰＵおよびＥＥＰＲＯＭなどが実装されている。
【００１８】
モジュール本体２０の前端部には、コネクタ接続口２２を囲むように略コ字状の引き抜きレバー２４が設けられている。この引き抜きレバー２４は、図４に示すように回転軸２６を中心としてモジュール本体２０の前方向Ａに回転可能に構成されている。引き抜きレバー２４は、レセプタクル部２１の両側面に回転軸２６によって回転自在に枢支された左右一対の支軸部２４ａと、前記一対の支軸部を連結する連結部２４ｂから構成されている。支軸部２４ａの回転軸２６の周辺には、スライダ長孔２８が形成されている。引き抜きレバー２４は、金属製であってもよいし、樹脂製であってもよい。
【００１９】
プラガブルモジュール１０は、さらに、プラガブルモジュール１０の下方に配置されたロック解除キー３２を備える。ロック解除キー３２は、引き抜きレバー２４のスライダ長孔２８に挿入されたスライダ軸３４を有する。引き抜きレバー２４およびロック解除キー３２は、スライダクランク機構を構成している。引き抜きレバー２４の回転にともなってスライダ軸３４がスライダ長孔２８内で移動することにより、ロック解除キー３２はモジュール本体２０に対して後方向Ｂにスライドする。
【００２０】
ロック解除キー３２の後端部には、ケージ１４に形成された係止孔（図示せず）に係合する突起部（図示せず）が形成されている。これらの係止孔および突起部は、モジュール本体２０とケージ１４とをロックするロック機構を構成している。ロック解除キー３２は、ロック機構のロック状態を解除する役割を有する。
【００２１】
図３は、ロック機構がロックされている状態を表しており、このとき引き抜きレバー２４は、連結部２４ｂがレセプタクル部２１の上方に位置する姿勢となっている。この姿勢から図４に示すように引き抜きレバー２４を前方向Ａに回転させると、スライダ軸３４がスライダ長孔２８内で移動し、これに伴ってロック解除キー３２が後方向Ｂにスライドする。これにより、ロック解除キー３２の突起部がケージ１４の係止孔から外れ、ロック機構のロックが解除された状態となる。このロック解除状態で引き抜きレバー２４をモジュール本体２０の前方に引くことで、プラガブルモジュール１０をケージ１４から取り外すことができる。
【００２２】
図５は、スライダ軸３４およびスライダ長孔２８周辺の拡大側面図である。また、図６は、スライダ軸３４の概略斜視図である。
【００２３】
図５は、ロック機構がロック状態のとき、すなわち、引き抜きレバー２４の連結部２４ｂがレセプタクル部２１の上方に位置している状態を表している。スライダ軸３４は、ロック解除キー３２の前端部から側方に突出するように形成されている。スライダ軸３４は、スライダ長孔２８内に移動可能に挿入されている。スライダ軸３４は、ロック機構がロック状態のとき、スライダ長孔２８の前方側の最端部（図５では左端部）で係止されている。このときのスライダ長孔２８中におけるスライダ軸３４の位置を「ロック位置」と呼ぶ。引き抜きレバー２４を前方に回転させると、スライダ軸３４はスライダ長孔２８中を他端部方向に向かって移動する。ロック機構がロック解除状態のとき、すなわち、引き抜きレバー２４の連結部２４ｂがロック状態から９０度回転したとき、スライダ軸３４はスライダ長孔２８の他端部で係止される。このときのスライダ長孔２８中におけるスライダ軸３４の位置を「ロック解除位置」と呼ぶ。本実施形態に係るプラガブルモジュール１０において、スライダ長孔２８は、ロック位置からロック解除位置にかけて次第に幅狭になるよう形成されている。
【００２４】
また、本実施形態に係るプラガブルモジュール１０において、スライダ軸３４は弾性を有するように構成されている。図５および図６に示すように、スライダ軸３４の軸方向に垂直な断面は、楕円形状を有している。そして、スライダ軸３４の軸端部には、Ｖ字状のスリット３６が形成されている。スライダ軸３４は、このスリット３６により、スリット３６に垂直な方向に弾性変形可能とされている。スライダ軸３４は、弾性変形可能な樹脂で形成されることが好ましい。
【００２５】
図７（ａ）〜図７（ｄ）は、本発明の実施形態に係るプラガブルモジュール１０の動作を説明するための図である。図７（ａ）は、ロック機構がロック状態のときを示す。図７（ｂ）は、引き抜きレバー２４が図７（ａ）の状態から僅かに回転した状態を示す。図７（ｃ）は、引き抜きレバー２４が図７（ｂ）の状態からさらに僅かに回転した状態を示す。図７（ｄ）は、引き抜きレバー２４が図７（ｃ）の状態からさらに僅かに回転した状態を示す。
【００２６】
図７（ａ）〜図７（ｄ）に示すように、ロック機構のロック状態が解除される方向に引き抜きレバー２４が回転したとき、スライダ軸３４はスライダ長孔２８中をロック位置からロック解除位置に向かって移動する。このとき、スライダ軸３４は、図７（ｂ）〜図７（ｃ）に示すように、スライダ長孔２８の内壁により押圧されて弾性変形する。このスライダ軸３４の弾性変形の復元力により、スライダ軸３４をロック位置に押し戻そうとする力が発生する。このスライダ軸３４をロック位置に押し戻そうとする力によって、引き抜きレバー２４が図７（ｂ）〜図７（ｄ）に示すように回転したとしても、引き抜きレバー２４は図７（ａ）に示すロック状態に戻る。なお、このスライダ軸３４をロック位置に押し戻そうとする力に抗してユーザが引き抜きレバー２４を引き続ければ、ロック機構のロック解除状態を維持することができる。
【００２７】
以上説明したように、本実施形態に係るプラガブルモジュール１０によれば、スライダ軸３４に弾性を持たせたことにより、引き抜きレバー２４の意図しない自然な回転を未然に防止することができる。
【００２８】
以上、本発明を実施の形態をもとに説明した。この実施の形態は例示であり、それらの各構成要素の組合せにいろいろな変形例が可能なこと、またそうした変形例も本発明の範囲にあることは当業者に理解されるところである。
【００２９】
例えば、上述の実施形態では、スライダ軸３４のスリット３６をＶ字状としたが、スリット３６の形状はＶ字状に限定されず、例えば矩形状であってもよい。
【符号の説明】
【００３０】
１０  プラガブルモジュール、  １２  基板、  １４  ケージ、  ２０  モジュール本体、  ２１  レセプタクル部、  ２２  コネクタ接続口、  ２４  引き抜きレバー、  ２６  回転軸、  ２８  スライダ長孔、  ３２  ロック解除キー、  ３４  スライダ軸、  ３６  スリット。
【図１】
2016170249.tif 000003
【図２】
2016170249.tif 000004
【図３】
2016170249.tif 000005
【図４】
2016170249.tif 000006
【図５】
2016170249.tif 000007
【図６】
2016170249.tif 000008
【図７】
2016170249.tif 000009